(57)【要約】      （修正有）【課題】銀行預金の不正引出しを防止するための総合防止システムを作る。【解決手段】口座契約者本人の顔写真データ、暗証文字データ、１日引出し限度額データをデータベースに登録し、口座契約者本人に対して預金通帳及びキャッシュカード以外の個人認証カードを発行する。窓口での預金引出しでは、顔写真と個人認証カードと暗証文字の３点を照合し、３点全てが一致する場合は預金引出しを可とし、３点全てが一致しない場合は預金引出しを不可とし、顔写真以外の照合が一致する場合は、預金引出し申込み者の顔写真データ及び身分証明書データを登録した後に預金引出しを可とする。キャッシュディスペンサーでの預金引出しでは、預金通帳又はキャッシュカードの他に個人認証カードを必要とし、個人認証番号、暗証文字、１日引出し限度額を照合して預金引出しの可否を決定する。また、個人認証カードが存在しない場合は、預金引出しを不可とする。【選択図】図８
2005216270.tif 000002
【特許請求の範囲】
【請求項１】
銀行預金に於いて、口座契約者本人の承認を受けない者が不正に預金を引出すことを防止するための、コンピュータのデータベース機能を利用した銀行預金不正引出し総合防止システム。
（ア）口座契約者本人の顔写真をデジタルデータとしてコンピュータのデータベースに登録する機能と口座番号で検索した顔写真データをディスプレー画面に表示する機能を有する。
（イ）口座契約者が指定した「しろいからす」のような複数の文字で構成する言葉を暗証文字データとしてコンピュータのデータベースに登録する機能を有する。
（ウ）口座契約者が指定した１日引出し限度額を１日引出し限度額データとしてコンピュータのデータベースに登録する機能を有する。
（エ）口座番号以外に口座契約者本人を認証する番号を個人認証番号としてコンピュータのデータベースに登録する機能を有する。
（オ）預金通帳やキャッシュカードとは別に、個人認証番号を記録した磁気カードを個人認証カードとして発行する機能を有する。
（カ）キャッシュディスペンサーで暗証文字データの登録と変更ができる機能を有する。
（キ）キャッシュディスペンサーで１日引出し限度額データの登録と変更ができる機能を有する。
（ク）キャッシュディスペンサーで個人認証カードを発行する機能を有する。
（ケ）口座契約者本人以外の預金引出し者の顔写真データと身分証明書データをコンピュータのデータベースに登録する機能を有する。
（コ）個人認証カードがキャッシュディスペンサーに挿入されない場合は、預金引出しを不可とする機能を有する。
（サ）キャッシュディスペンサーに挿入された個人認証カードに記録されている個人認証番号データと口座番号で検索した個人認証番号データを照合し、一致した場合は預金引出しを可とし、一致しない場合は預金引出しを不可とする機能を有する。
（シ）預金引出し者が入力した暗証文字データと口座番号で検索した暗証文字データを照合し、一致した場合は預金引出しを可とし、一致しない場合は預金引出しを不可とする機能を有する。
（ス）預金引出し者が指定した預金引出し金額と口座番号で検索した１日引出し限度額データを照合し、預金引出し者が指定した預金引出し金額が１日引出し限度額データベースの１日引出し限度額以内である場合は預金引出しを可とし、預金引出し者が指定した預金引出し額が１日引出し限度額データベースの１日引出し限度額を越える場合は預金引出しを不可とする機能を有する。
【発明の詳細な説明】
【技術分野】
【０００１】本発明は、銀行預金に於いて、口座契約者本人の承認を受けない者が不正に預金を引出すことを防止するために、口座契約者本人の顔写真をデジタルデータとしてコンピュータのデータベースに登録する機能と口座番号で検索した顔写真データをディスプレー画面に表示する機能と口座契約者が指定した複数の文字で構成する言葉を暗証文字データとしてコンピュータのデータベースに登録する機能と口座契約者が指定した１日引出し限度額を１日引出し限度額データとしてコンピュータのデータベースに登録する機能と口座番号以外に口座契約者本人を認証する番号を個人認証番号としてコンピュータのデータベースに登録する機能と預金通帳やキャッシュカードとは別に、個人認証番号を記録した磁気カードを個人認証カードとして発行する機能とキャッシュディスペンサーで暗証文字データの登録と変更ができる機能とキャッシュディスペンサーで１日引出し限度額データの登録と変更ができる機能とキャッシュディスペンサーで個人認証カードを発行する機能と口座契約者本人以外の預金引出し者の顔写真データと身分証明書データをコンピュータのデータベースに登録する機能と個人認証カードがキャッシュディスペンサーに挿入されない場合は、預金引出しを不可とする機能とキャッシュディスペンサーに挿入された個人認証カードに記録されている個人認証番号データと口座番号で検索した個人認証番号データを照合し、一致した場合は預金引出しを可とし、一致しない場合は預金引出しを不可とする機能と預金引出し者が入力した暗証文字データと口座番号で検索した暗証文字データを照合し、一致した場合は預金引出しを可とし、一致しない場合は預金引出しを不可とする機能と預金引出し者が指定した預金引出し金額と口座番号で検索した１日引出し限度額データを照合し、預金引出し者が指定した預金引出し金額が１日引出し限度額データベースの１日引出し限度額以内である場合は預金引出しを可とし、預金引出し者が指定した預金引出し額が１日引出し限度額データベースの１日引出し限度額を越える場合は預金引出しを不可とする機能を有し、預金の不正引出し防止を実現するためのコンピュータのデータベース機能を利用したシステムに関するものである。
【背景技術】
【０００２】銀行預金の引出しに於いて、印鑑の照合又は預金引出し者が入力した暗証番号と預金通帳及びキャッシュカードに記録された暗証番号との照合だけで預金引出しの可否を可能とするシステムである
【発明の開示】
【発明が解決しようとする課題】
【０００３】銀行預金の引出しに於いて、従来のシステムでは預金通帳及びキャッシュカードと印鑑又は暗証番号だけが必要とされているため、預金通帳及びキャッシュカードさえあれば、印鑑の偽造、暗証番号の類推入力、暗証番号の強制的な聞き出しなどによって、口座契約者本人の承認を受けない者でも預金の不正引出しが行えるシステムとなっている。本発明は、これらの欠点を解決するためになされたものである。
【課題を解決するための手段】
【０００４】上記目的を達成する本発明は、次の通りである。
預金口座契約時に、口座契約者本人の顔写真データ、暗証文字データ、１日引出し限度額データをコンピュータのデータベースに登録するとともに、本人の顔写真付きの預金通帳とキャッシュカードと個人認証カードを発行する。
窓口での預金引出しでは、預金引出し申込み者の顔と通帳の顔写真と個人認証カードと暗証文字を確認して預金引出しの可否を決定し、キャッシュディスペンサーでの預金引出しでは、預金通帳又はキャッシュカードと個人認証カードと暗証文字と１日引出し限度額の確認によって預金引出しの可否を決定する。
また、個人認証カードがない場合は預金引出しを行えないシステムにするとともに、口座契約者本人以外の者が窓口で預金引出しを申出た場合は、個人認証カードと暗証文字を確認した後、預金引出し申込み者の顔写真データ及び身分証明書データを登録して預金の引出しを可とするシステムとする。
【発明の効果】
【０００５】預金通帳やキャッシュカードの盗難による銀行預金不正引出しが行われている。暗証番号を聞き出すための殺害も起こっている。キャッシュカードの偽造による銀行預金引出しも行われるようになっている。銀行預金には、その人の全生活がかかっている。従来のように、預金通帳やキャッシュカードと印鑑又は暗証番号だけの照合では、銀行預金不正引出しを防ぐことができなくなっている。また、不正引出しが比較的容易にできることが犯罪を引き起こす要因ともなっている。
銀行預金引出しに於いて、顔写真の照合、預金通帳やキャッシュカード以外の個人認証カード、暗証文字、１日引出し限度額、口座契約者本人以外の顔写真と身分証明書データの登録を必要とする本発明は、銀行預金不正引出しをより困難にすることかできる。例えば、留守宅に侵入した泥棒が預金通帳と印鑑で口座を解約するという事件が起きているが、個人認証カードを口座契約者が持って家を出れば、預金通帳を家に置いたままでも安心して家を留守にできる。また、強盗に入った家で家族を人質にしてキャッシュカードを入手し、強制的に暗証番号を聞き出し、暗証番号を聞き出した後で殺害し、預金の不正引出しを行うという事件も起こっている。１日引出し限度額の指定があれば、一度に多額の預金引出しを行うことができなくなり、強盗・殺人を起こしても預金の不正引出しを行うという動機を失わせる。キャッシュカードの偽造と暗証番号の盗み見による預金引出しという事件も起きているが、暗証文字であれば記憶しやすいので控えを記録する必要はなく、多くの文字の組み合わせの中から暗証文字を類推することはほとんど不可能だし、入力の際に暗証文字を盗み見ることも困難である。
【発明を実施するための最良の形態】
【０００６】銀行預金口座契約者に対して、本人の顔写真データ、暗証文字データ、１日引出し限度額データをデータベースに登録し、預金通帳及びキャッシュカード以外に本人を認証する個人認証カードを発行する。暗証文字と１日引出し限度額の指定と変更及び個人認証カードの発行はキャッシュディスペンサーでも行えるようにする。口座契約者本人以外の者が窓口で預金の引出しを希望した場合は、口座契約者本人以外の者の顔写真データと身分証明書データをデータベースに登録する。以下に、本発明に関わる銀行預金引出しの望ましい実施例について、図面を参照して説明する。
【実施例１】
【０００７】図１ａ  預金口座契約者は、預金口座開設時に、本人顔写真、暗証文字、１日引出し限度額を登録する。
図２ｂ  本人顔写真データ、暗証文字データ、１日引出し限度額データ、個人認証番号データをデータベースに登録する。
図１ｃ  口座契約時に、本人顔写真付き預金通帳、キャッシュカード、個人認証カードを発行する。
図２ａ  暗証文字の登録は、預金口座契約後にキャッシュディスペンサーでも行うことができる。まず、キャッシュディスペンサーにキャッシュカード又は預金通帳を挿入する。
図２ｂ  暗証番号を入力する。
図２ｃ  暗証番号の照合が一致しない場合は、暗証文字の指定はできない。
図２ｄ  暗証番号の照合が一致した場合は、暗証文字の登録を指定する。
図２ｅ  暗証文字を入力する。
図２ｆ  暗証文字データベースに登録する。
図３ａ  キャッシュディスペンサーで暗証文字を変更する場合は、まずキャッシュカード又は預金通帳をキャッシュディスペンサーに挿入する。
図３ｂ  暗証文字を入力する。
図３ｃ  暗証文字の照合が一致しない場合は、暗証文字の変更はできない。
図３ｄ  暗証文字の照合が一致した場合は、暗証文字の変更を指定する。
図３ｅ  新暗証文字を入力する。
図３ｆ  新暗証文字を暗証文字データベースに登録する。
図４ａ  １日引出し限度額の登録は、口座契約後にキャッシュディスペンサーでも行うことができる。まず、キャッシュディスペンサーにキャッシュカード又は預金通帳を挿入する。
図４ｂ  暗証文字を入力する。
図４ｃ  暗証文字の照合が一致しない場合は、１日引出し限度額の登録はできない。
図４ｄ  暗証文字の照合が一致した場合は、１日引出し限度額の登録を指定する。
図４ｅ  １日引出し限度額を入力する。
図４ｆ  指定された１日引出し限度額を１日引出し限度額データベースに登録する。
図５ａ  キャッシュディスペンサーで１日引出し限度額を変更する場合は、まずキャッシュカード又は預金通帳をキャッシュディスペンサーに挿入する。
図５ｂ  暗証文字を入力する。
図５ｃ  暗証文字の照合が一致しない場合は、１日引出し限度額の変更はできない。
図５ｄ  暗証文字の照合が一致した場合は、１日引出し限度額の変更を指定する。
図５ｅ  新１日引出し限度額を入力する。
図５ｆ  指定された新１日引出し限度額を１日引出し限度額データベースに登録する。
図６ａ  個人認証カードの発行は、口座契約後にキャッシュディスペンサーでも行うことができる。まず、キャッシュディスペンサーにキャッシュカード又は預金通帳を挿入する。
図６ｂ  暗証文字を入力する。
図６ｃ  暗証文字の照合が一致しない場合は、個人認証カードの発行はできない。
図６ｄ  暗証文字の照合が一致した場合は、個人認証カード発行を指定する。
図６ｅ  個人認証カードを発行する。
図７ａ  窓口での預金引出しの申込みがあった場合は、まず顔写真・個人認証カード・暗証文字の３点を照合する。
図７ｂ  ３点の照合が一致した場合は、預金引出しができる。
図７ｃ  ３点の照合が一致しない場合は、預金引出しはできない。
図７ｄ  顔写真以外の照合が一致した場合は、預金引出し申込み者の顔写真データと身分証明書データを登録することで、預金の引出しを行うことができる。
図８ａ  キャッシュディスペンサーで預金の引出しを行う場合は、まず、キャッシュカード又は預金通帳をキャッシュディスペンサーに挿入する。
図８ｂ  個人認証カードが挿入されない場合は、預金の引出しはできない。
図８ｃ  個人認証カードが挿入された場合は、個人認証番号の照合を行う
図８ｄ  個人認証番号が一致しない場合は、預金の引出しはできない。
図８ｅ  個人認証番号が一致した場合は、暗証文字を入力する。
図８ｆ  暗証文字の照合が一致しない場合は、預金の引出しはできない。
図８ｇ  暗証文字の照合が一致した場合は、引出し金額を入力する。
図８ｈ  １日引出し限度額の指定を越える場合は、預金の引出しはできない。
図８ｉ  １日引出し限度額の指定内ならば、預金の引出しができる。
【図面の簡単な説明】
【０００８】
【図１】預金口座開設時の窓口でのデータ登録及び通帳等発行の流れを示した図である。
【図２】キャッシュディスペンサーでの暗証文字の後日登録の流れを示した図である。
【図３】キャッシュディスペンサーでの暗証文字の後日変更の流れを示した図である。
【図４】キャッシュディスペンサーでの１日限度額の後日登録の流れを示した図である。
【図５】キャッシュディスペンサーでの１日限度額の後日変更の流れを示した図である。
【図６】キャッシュディスペンサーでの個人認証カードの後日発行の流れを示した図である。
【図７】窓口での預金引出しの方法の流れを示した図である。
【図８】キャッシュディスペンサーでの預金引出しの方法の流れを示した図である。
【図１】
2005216270.tif 000003
【図２】
2005216270.tif 000004
【図３】
2005216270.tif 000005
【図４】
2005216270.tif 000006
【図５】
2005216270.tif 000007
【図６】
2005216270.tif 000008
【図７】
2005216270.tif 000009
【図８】
2005216270.tif 000010